(57)【要約】【課題】遊技者が過去の遊技における自己の好不調の変化を一見して把握することができるような遊技用表示システムを提供する。【解決手段】まずホールコンピュータ４０において、差数算出手段４２ｃにより、利益情報と不利益情報との差数が各遊技機毎に算出され、遊技開始判定手段４２ｄによる遊技開始の判定から遊技終了判定手段４２ｅによる遊技終了の判定までの間において算出された差数が、会員ＩＤ及び該差数が発生した日付に対応付けてハードディスク４３に記憶される。次に比較手段４２ｆにより、差数の比較において基準となる所定期間幅の比較基準期間の差数が、該比較基準期間の直前における該比較基準期間と同一期間幅の比較対象期間の差数と比較される。そしてカードユニット２０又は遊技情報表示端末３０において、ディスプレイ２３又は３３により、該比較結果に基づいて、前記比較基準期間の差数の傾向が表示される。【選択図】        図４
2004167119.tif 000002
【特許請求の範囲】
【請求項１】
遊技者の遊技機での遊技における収支に関する収支関連情報を、該遊技者を特定可能な遊技者特定情報及び前記収支関連情報が発生した日付に対応付けて記憶する収支関連情報記憶手段と、
該収支関連情報記憶手段により記憶されている収支関連情報のうち、収支関連情報の比較において基準となる所定期間幅の比較基準期間の収支関連情報を、該比較基準期間の直前における該比較基準期間と同一期間幅の比較対象期間の収支関連情報と比較する比較手段と、
該比較手段による比較結果に基づいて、前記比較基準期間の収支関連情報の傾向を遊技者に対して表示する表示手段と、
を備える遊技用表示システム。
【請求項２】
請求項１に記載した遊技用表示システムであって、
遊技機に対応して設けられ、遊技者を特定可能な遊技者特定情報が記録された遊技者特定記録媒体を受け付けて、該受け付けた遊技者特定記録媒体から前記遊技者特定情報を読み取る読取手段と、
該読取手段により前記遊技者特定情報が読み取られたとき、該読取手段に対応する遊技機での遊技が開始されたと判定する遊技開始判定手段と、
該遊技開始判定手段により遊技が開始されたと判定された後、所定の終了条件が満たされたとき、該遊技が終了したと判定する遊技終了判定手段と、
前記遊技機での遊技に関連して発生する、遊技場にとっての収支に関する情報を入力する収支情報入力手段と、を備え、
前記収支関連情報記憶手段は、前記遊技開始判定手段による遊技開始の判定から前記遊技終了判定手段による遊技終了の判定までの間に前記収支情報入力手段に入力された情報に基づいて得られる前記収支関連情報を、前記読取手段により読み取られた遊技者特定情報に対応付けて記憶することを特徴とする遊技用表示システム。
【請求項３】
請求項２に記載した遊技用表示システムであって、
前記収支情報入力手段は、前記遊技機での遊技に関連して発生する、遊技場にとって利益を示す情報を入力する利益情報入力手段と、前記遊技機での遊技に関連して発生する、遊技場にとって不利益を示す情報を入力する不利益情報入力手段と、を備え、
前記遊技用表示システムは、前記利益情報入力手段に入力された情報に基づく遊技場にとって利益を示す利益情報と、前記不利益情報入力手段に入力された情報に基づく遊技場にとって不利益を示す不利益情報との差数を、各遊技機毎に算出する差数算出手段をさらに備え、
前記収支関連情報記憶手段は、前記遊技開始判定手段による遊技開始の判定から前記遊技終了判定手段による遊技終了の判定までの間において前記差数算出手段により算出された差数を、前記収支関連情報として記憶することを特徴とする遊技用表示システム。
【請求項４】
請求項３に記載した遊技用表示システムであって、
前記利益情報入力手段に入力された情報に基づいて遊技場にとって利益を示す利益情報を各遊技機毎に集計する利益情報集計手段と、
前記不利益情報入力手段に入力された情報に基づいて遊技場にとって不利益を示す不利益情報を各遊技機毎に集計する不利益情報集計手段と、をさらに備え、
前記差数算出手段は、前記利益情報集計手段により集計された利益情報と、前記不利益情報集計手段により集計された不利益情報との差数を、各遊技機毎に算出することを特徴とする遊技用表示システム。
【請求項５】
請求項１〜４のいずれか１つに記載した遊技用表示システムであって、
前記比較基準期間の期間幅を設定変更する期間幅設定手段をさらに備えることを特徴とする遊技用表示システム。
【請求項６】
請求項１〜５のいずれか１つに記載した遊技用表示システムであって、
前記収支関連情報の比較を実施する比較実施期間を設定変更する比較実施期間設定手段をさらに備え、
前記比較手段は、前記収支関連情報記憶手段により記憶されている収支関連情報のうち、前記比較実施期間に属する前記比較基準期間と同一期間幅の各期間の収支関連情報を、該各期間の直前における期間の収支関連情報と比較し、
前記表示手段は、該比較手段による比較結果に基づいて、前記比較実施期間に属する前記比較基準期間と同一期間幅の各期間の収支関連情報の傾向を遊技者に対して表示することを特徴とする遊技用表示システム。
【請求項７】
請求項１〜６のいずれか１つに記載した遊技用表示システムであって、
前記表示手段は、前記収支関連情報記憶手段により記憶されている収支関連情報のうち、前記比較基準期間の収支関連情報を、前記比較基準期間の収支関連情報の傾向と対応付けて表示することを特徴とする遊技用表示システム。
【請求項８】
請求項１〜７のいずれか１つに記載した遊技用表示システムであって、
前記収支関連情報の比較の対象となる前記遊技者本人以外の他の遊技者を指定する比較対象遊技者指定手段をさらに備え、
前記比較手段は、前記収支関連情報記憶手段により記憶されている収支関連情報のうち、前記遊技者本人に関する前記比較基準期間の収支関連情報を、該比較対象遊技者指定手段により指定された他の遊技者に関する前記比較基準期間の収支関連情報と比較し、
前記表示手段は、該比較手段による比較結果を遊技者に対して表示することを特徴とする遊技用表示システム。
【請求項９】
請求項１〜８のいずれか１つに記載した遊技用表示システムであって、
前記収支関連情報記憶手段は、前記収支関連情報を、前記遊技機の機種と対応付けて記憶し、
前記遊技用表示システムは、該収支関連情報記憶手段により記憶されている収支関連情報が所定の抽出条件を満たしている機種を抽出する抽出手段をさらに備え、
前記表示手段は、該抽出手段による抽出結果を遊技者に対して表示することを特徴とする遊技用表示システム。
【発明の詳細な説明】
【０００１】
【発明の属する技術分野】
本発明は、遊技者の遊技機での遊技における収支に関する収支関連情報を、該遊技者に対して表示するための遊技用表示システムに係り、特に該収支関連情報を、前記遊技者を特定可能な遊技者特定情報及び前記収支関連情報が発生した日付に対応付けて記憶し、該収支関連情報の比較において基準となる所定期間幅の比較基準期間の収支関連情報を、該比較基準期間の直前における該比較基準期間と同一期間幅の比較対象期間の収支関連情報と比較して、該比較結果に基づいて、前記比較基準期間の収支関連情報の傾向を遊技者に対して表示する遊技用表示システムに関する。
【０００２】
【従来の技術】
従来より、遊技場においては、遊技場の会員である遊技者が、遊技機（例えばパチンコ機やスロットマシン）での遊技において獲得した獲得玉数の履歴を、該遊技者に対して表示する遊技場用のデータ管理システムが知られている（例えば特許文献１を参照）。
【０００３】
【特許文献１】
特開２００２−２２４３８８号公報（第２頁，図１９）
【０００４】
【発明が解決しようとする課題】
ここで遊技者がどの遊技機で遊技を行うか，又はどのくらいの時間遊技を行うか等の遊技形態を選択する際には、過去の遊技における自己の好不調の変化が重要な判断材料となるが、前記遊技場用のデータ管理システムでは、単に獲得玉数の履歴が表示されるだけであるため、遊技者は過去の遊技における自己の好不調の変化を一見して把握することが困難であり、遊技者が遊技形態を選択する上での有効な指標を提供しうるものではなかった。
【０００５】
本発明は、このような背景のもとになされたものであり、その目的は、遊技者が過去の遊技における自己の好不調の変化を一見して把握することができるような遊技用表示システムを提供することにある。
【０００６】
【課題を解決するための手段】
本発明は、前記課題を解決するために、次のような手段を採る。
【０００７】
まず請求項１に係る発明は、遊技者の遊技機での遊技における収支に関する収支関連情報を、該遊技者を特定可能な遊技者特定情報及び前記収支関連情報が発生した日付に対応付けて記憶する収支関連情報記憶手段と、該収支関連情報記憶手段により記憶されている収支関連情報のうち、収支関連情報の比較において基準となる所定期間幅の比較基準期間の収支関連情報を、該比較基準期間の直前における該比較基準期間と同一期間幅の比較対象期間の収支関連情報と比較する比較手段と、該比較手段による比較結果に基づいて、前記比較基準期間の収支関連情報の傾向を遊技者に対して表示する表示手段と、を備える遊技用表示システムである。
【０００８】
また請求項２に係る発明は、請求項１に記載した遊技用表示システムであって、遊技機に対応して設けられ、遊技者を特定可能な遊技者特定情報が記録された遊技者特定記録媒体を受け付けて、該受け付けた遊技者特定記録媒体から前記遊技者特定情報を読み取る読取手段と、該読取手段により前記遊技者特定情報が読み取られたとき、該読取手段に対応する遊技機での遊技が開始されたと判定する遊技開始判定手段と、該遊技開始判定手段により遊技が開始されたと判定された後、所定の終了条件が満たされたとき、該遊技が終了したと判定する遊技終了判定手段と、前記遊技機での遊技に関連して発生する、遊技場にとっての収支に関する情報を入力する収支情報入力手段と、を備え、前記収支関連情報記憶手段は、前記遊技開始判定手段による遊技開始の判定から前記遊技終了判定手段による遊技終了の判定までの間に前記収支情報入力手段に入力された情報に基づいて得られる前記収支関連情報を、前記読取手段により読み取られた遊技者特定情報に対応付けて記憶することを特徴とする遊技用表示システムである。
【０００９】
また請求項３に係る発明は、請求項２に記載した遊技用表示システムであって、前記収支情報入力手段は、前記遊技機での遊技に関連して発生する、遊技場にとって利益を示す情報を入力する利益情報入力手段と、前記遊技機での遊技に関連して発生する、遊技場にとって不利益を示す情報を入力する不利益情報入力手段と、を備え、前記遊技用表示システムは、前記利益情報入力手段に入力された情報に基づく遊技場にとって利益を示す利益情報と、前記不利益情報入力手段に入力された情報に基づく遊技場にとって不利益を示す不利益情報との差数を、各遊技機毎に算出する差数算出手段をさらに備え、前記収支関連情報記憶手段は、前記遊技開始判定手段による遊技開始の判定から前記遊技終了判定手段による遊技終了の判定までの間において前記差数算出手段により算出された差数を、前記収支関連情報として記憶することを特徴とする遊技用表示システムである。
【００１０】
また請求項４に係る発明は、請求項３に記載した遊技用表示システムであって、前記利益情報入力手段に入力された情報に基づいて遊技場にとって利益を示す利益情報を各遊技機毎に集計する利益情報集計手段と、前記不利益情報入力手段に入力された情報に基づいて遊技場にとって不利益を示す不利益情報を各遊技機毎に集計する不利益情報集計手段と、をさらに備え、前記差数算出手段は、前記利益情報集計手段により集計された利益情報と、前記不利益情報集計手段により集計された不利益情報との差数を、各遊技機毎に算出することを特徴とする遊技用表示システムである。
【００１１】
また請求項５に係る発明は、請求項１〜４のいずれか１つに記載した遊技用表示システムであって、前記比較基準期間の期間幅を設定変更する期間幅設定手段をさらに備えることを特徴とする遊技用表示システムである。
【００１２】
また請求項６に係る発明は、請求項１〜５のいずれか１つに記載した遊技用表示システムであって、前記収支関連情報の比較を実施する比較実施期間を設定変更する比較実施期間設定手段をさらに備え、前記比較手段は、前記収支関連情報記憶手段により記憶されている収支関連情報のうち、前記比較実施期間に属する前記比較基準期間と同一期間幅の各期間の収支関連情報を、該各期間の直前における期間の収支関連情報と比較し、前記表示手段は、該比較手段による比較結果に基づいて、前記比較実施期間に属する前記比較基準期間と同一期間幅の各期間の収支関連情報の傾向を遊技者に対して表示することを特徴とする遊技用表示システムである。
【００１３】
また請求項７に係る発明は、請求項１〜６のいずれか１つに記載した遊技用表示システムであって、前記表示手段は、前記収支関連情報記憶手段により記憶されている収支関連情報のうち、前記比較基準期間の収支関連情報を、前記比較基準期間の収支関連情報の傾向と対応付けて表示することを特徴とする遊技用表示システムである。
【００１４】
また請求項８に係る発明は、請求項１〜７のいずれか１つに記載した遊技用表示システムであって、前記収支関連情報の比較の対象となる前記遊技者本人以外の他の遊技者を指定する比較対象遊技者指定手段をさらに備え、前記比較手段は、前記収支関連情報記憶手段により記憶されている収支関連情報のうち、前記遊技者本人に関する前記比較基準期間の収支関連情報を、該比較対象遊技者指定手段により指定された他の遊技者に関する前記比較基準期間の収支関連情報と比較し、前記表示手段は、該比較手段による比較結果を遊技者に対して表示することを特徴とする遊技用表示システムである。
【００１５】
さらに請求項９に係る発明は、請求項１〜８のいずれか１つに記載した遊技用表示システムであって、前記収支関連情報記憶手段は、前記収支関連情報を、前記遊技機の機種と対応付けて記憶し、前記遊技用表示システムは、該収支関連情報記憶手段により記憶されている収支関連情報が所定の抽出条件を満たしている機種を抽出する抽出手段をさらに備え、前記表示手段は、該抽出手段による抽出結果を遊技者に対して表示することを特徴とする遊技用表示システムである。
【００１６】
【発明の実施の形態】
以下、本発明の実施の形態を、図面を参照して説明する。なお、以下においては、リーダ／ライタを「Ｒ／Ｗ」と略記する。本発明に係る遊技用表示システム１は、遊技者の遊技機（パチンコ機１０）での遊技における収支に関する収支関連情報を、該遊技者に対して表示するためのものであり、特に該収支関連情報を、前記遊技者を特定可能な遊技者特定情報（会員ＩＤ）及び前記収支関連情報が発生した日付に対応付けて記憶し、該収支関連情報の比較において基準となる所定期間幅の比較基準期間の収支関連情報を、該比較基準期間の直前における該比較基準期間と同一期間幅の比較対象期間の収支関連情報と比較して、該比較結果に基づいて、前記比較基準期間の収支関連情報の傾向を遊技者に対して表示するものである。ここで収支関連情報とは、例えば利益情報（打込玉数）と不利益情報（払出玉数）との差数（差玉数）である。
【００１７】
具体的には、後述する図６のＤ６に示すように、前記比較基準期間の期間幅が１日間である場合には、比較基準期間である１日前の差数を比較対象期間である２日前の差数と比較して、該比較結果に基づいて、比較基準期間の差数＞比較対象期間の差数である場合には、差数の傾向として上昇傾向を示す右上がりの矢印を表示し、比較基準期間の差数＜比較対象期間の差数である場合には、差数の傾向として下降傾向を示す右下がりの矢印を表示する。
【００１８】
この遊技用表示システム１は、上記の作用を実現するために、図４に示すように、読取手段である会員カードＲ／Ｗ２４と、収支情報入力手段である通信部４１と、利益情報入力手段である打込玉信号入力部４１ａと、不利益情報入力手段である賞球信号入力部４１ｂと、利益情報集計手段４２ａと、不利益情報集計手段４２ｂと、差数算出手段４２ｃと、遊技開始判定手段４２ｄと、遊技終了判定手段４２ｅと、収支関連情報記憶手段であるハードディスク４３と、比較手段４２ｆと、抽出手段４２ｇと、表示手段，期間幅設定手段，比較実施期間設定手段，比較対象遊技者指定手段，及び抽出条件指定手段であるタッチパネル式のディスプレイ２３又は３３と、を備えている。
【００１９】
この実施形態では、会員カードＲ／Ｗ２４，及びタッチパネル式のディスプレイ２３がカードユニット２０に設けられ、タッチパネル式のディスプレイ３３が遊技情報表示端末３０に設けられ、それら以外の通信部４１，打込玉信号入力部４１ａ，賞球信号入力部４１ｂ，利益情報集計手段４２ａ，不利益情報集計手段４２ｂ，差数算出手段４２ｃ，遊技開始判定手段４２ｄ，遊技終了判定手段４２ｅ，ハードディスク４３，比較手段４２ｆ，及び抽出手段４２ｇがホールコンピュータ４０に設けられる。
【００２０】
以下、遊技用表示システム１の構成について説明する。遊技用表示システム１では、図１に示すように、遊技場内に設けられる遊技島２において、前記パチンコ機１０及び前記カードユニット２０が、該パチンコ機１０の機種等に従って所定の位置に配置されている。ここで遊技島２は、島番号（１番島，２番島…）により識別可能とされている。またパチンコ機１０及びカードユニット２０は、台番号（１番台，２番台…）により識別可能とされている。
【００２１】
この実施形態では、１番島において、左端から右端に向けて１番台〜１０番台（ただし４番台と９番台は欠番）の８台のパチンコ機１０及びカードユニット２０が配置されている。この１番島に配置されているパチンコ機１０の機種はＣＲ．ＡＡＡである。また１番島の背後に設けられた２番島において、折り返して右端から左端に向けて１１番台〜２０番台（ただし１４番台と１９番台は欠番）の８台のパチンコ機１０及びカードユニット２０が配置されている。この２番島に配置されているパチンコ機１０の機種はＣＲ．ＢＢＢである。なお３番島以下においても、前記１番島及び２番島に準じて、パチンコ機１０及びカードユニット２０が所定の位置に配置されている。
【００２２】
これらパチンコ機１０及びカードユニット２０は、遊技島２に設けられる台端末３，及び遊技場内の所定箇所（例えば管理事務所等）に設けられる中継コンピュータ４を介して、遊技場内の所定箇所（例えば管理事務所等）に設けられるホールコンピュータ４０と通信可能に接続されている。この台端末３は、複数（例えば４つ）の接続コネクタを備え、各接続コネクタに各パチンコ機１０及び各カードユニット２０を接続することにより、該接続された機器との間で通信可能なものである。また中継コンピュータ４は、台端末３とホールコンピュータ４０との間における通信を中継するものである。さらに遊技場内の所定箇所（例えば景品カウンタの近傍等）に設けられる前記遊技情報表示端末３０も、ホールコンピュータ４０と通信可能に接続されている。
【００２３】
また遊技用表示システム１では、会員登録をした遊技者に対して、該遊技者を特定可能な遊技者特定情報である会員ＩＤが記録された遊技者特定記録媒体として会員カード５が発行される。ここでの会員カード５は、例えば長方形状を呈するプラスチック製の薄板における所定の部位に、少なくとも会員ＩＤが記録された記録領域（図示外）が形成されてなるものであり、該記録領域として不揮発性のＥＥＰＲＯＭを備える非接触式の集積回路を搭載したＩＣカードである。
【００２４】
パチンコ機１０は遊技機の一例であって、図２に示すように、遊技媒体であるパチンコ玉を遊技領域１０ａに打ち込むことにより遊技を行うものであり、ここでは該パチンコ機１０での遊技に使用されるパチンコ玉を貸し出すための処理を行う貸与処理装置として機能するカードユニット２０と通信可能に接続され、該カードユニット２０にて遊技に使用可能な前払い有価価値の大きさ（例えばプリペイド度数）を特定可能な情報が記録された記録媒体（例えばプリペイドカード）が受け付けられ、後述する玉貸ボタン１２ｂにて貸出操作が受け付けられたときに、該カードユニット２０との間でパチンコ玉の貸出に関する信号のやり取りが行われてパチンコ玉が貸し出される、いわゆるＣＲ式のパチンコ機１０である。
【００２５】
このパチンコ機１０の前面には、始動入賞口，大入賞口，一般入賞口等の複数の入賞口や、複数種類の識別情報である図柄を可変表示可能な可変表示装置等が設けられている遊技領域１０ａと、パチンコ玉を該遊技領域１０ａに打ち込むための操作を受け付ける操作ハンドルと、後述する玉払出装置１３から払い出されるパチンコ玉を貯留する上皿と、該上皿内に貯留しきれない余剰のパチンコ玉を貯留する下皿が設けられている。また上皿の前面には、カードユニット２０にて受け付けられているプリペイドカードの記録情報から特定されるプリペイド度数の残数を表示する残度数表示器１２ａと、該残度数を使用したパチンコ玉の貸出操作を受け付ける玉貸ボタン１２ｂと、該プリペイドカードの返却操作を受け付けるプリペイドカード返却ボタン１２ｃが設けられている。
【００２６】
またパチンコ機１０の内部には、遊技状態を制御する遊技制御基板１１と、玉払出装置１３を制御する玉払出制御基板１２と、貸し出されたパチンコ玉や賞球として付与されるパチンコ玉を払い出す玉払出装置１３と、遊技情報を出力する情報出力基板１４が設けられている。さらにパチンコ機１０の背後には、遊技領域１０ａに打ち込まれてアウトタンクに導かれたパチンコ玉（以下「打込玉」という。）の数を計数する打込玉カウンタ１５と、補給樋からパチンコ機１０に対して補給されたパチンコ玉（以下「補給玉」という。）の数を計数する補給玉カウンタ１６が設けられている。これらパチンコ機１０に設けられる各機器は、図２に示すように接続されている。
【００２７】
このパチンコ機１０においては、操作ハンドルの操作によりパチンコ玉を遊技領域１０ａに打ち込むことにより遊技が行われ、該パチンコ機１０での遊技に関連して、以下に示す遊技情報が発生して出力される。具体的には、まず遊技領域１０ａに打ち込まれた打込玉が始動入賞口に入賞した場合には、可変表示装置の可変表示が開始されて所定時間の経過後に該可変表示が停止すると共に、該可変表示の停止を特定可能な遊技情報として１パルスのスタート信号が、情報出力基板１４に設けられたスタート信号出力部（図示外）から出力される。
【００２８】
また可変表示装置の表示結果が予め定められた所定態様となった場合には、遊技者にとって有利な遊技状態（いわゆる特賞＝大当り）が発生して、閉成されていた大入賞口が開成されて前記打込玉が大入賞口に入賞可能になると共に、該特賞の発生を特定可能な遊技情報として該特賞の発生から終了までの間において継続的な特賞信号が、情報出力基板１４に設けられた特賞信号出力部（図示外）から出力される。
【００２９】
また可変表示装置の表示結果が予め定められた特別の所定態様となった場合には、前記特賞の発生確率が通常確率から高確率に変動する確率変動状態（以下単に「確変」という。）が発生して、該確変の発生を特定可能な情報として該確変の発生から終了までの間において継続的な確変信号が、情報出力基板１４に設けられた確変信号出力部（図示外）から出力される。
【００３０】
また遊技領域１０ａに打ち込まれた打込玉が各入賞口に入賞した場合には、玉払出制御基板１２の制御により玉払出装置１３から各入賞口に応じた所定数のパチンコ玉が賞球として払い出されると共に、１０個の賞球が払い出される毎に、該賞球数を特定可能な情報として１パルスの賞球信号が、情報出力基板１４に設けられた賞球信号出力部１４ａ（図４を参照）から出力される。この賞球信号は、パチンコ機１０における遊技に関連して発生する、遊技場にとっての収支に関する情報であって、特に遊技場にとって不利益を示す情報である。
【００３１】
なお各入賞口に入賞した打込玉及びいずれの入賞口にも入賞しなかった打込玉は、パチンコ機１０の背後に設けられたアウトタンクに導かれ、該アウトタンクに付設された打込玉カウンタ１５により打込玉が１０個計数される毎に、該打込玉数を特定可能な情報として１パルスの打込玉信号が、該打込玉カウンタ１５に設けられた打込玉信号出力部１５ａ（図４を参照）から出力される。この打込玉信号は、パチンコ機１０における遊技に関連して発生する、遊技場にとっての収支に関する情報であって、特に遊技場にとって利益を示す情報である。
【００３２】
また補給樋からパチンコ機１０に対してパチンコ玉が補給された場合には、該補給樋に敷設された補給玉カウンタ１６により補給玉が１０個計数される毎に、該補給玉数を特定可能な情報として１パルスの補給玉信号が、該補給玉カウンタ１６に設けられた補給玉信号出力部（図示外）から出力される。このようにしてパチンコ機１０から出力される各信号は、台端末３及び中継コンピュータ４を介してホールコンピュータ４０に入力される。
【００３３】
カードユニット２０は遊技用表示装置及び前記貸与処理装置の一例であって、図２に示すように、パチンコ機１０に対応して（ここではパチンコ機１０の左側に隣接して）設けられ、縦長の箱型の形状を呈するものであり、その前面にタッチパネル式のディスプレイ２３，会員カード挿入・排出口２４ａ，会員カード返却ボタン２４ｂ，及びプリペイドカード挿入・排出口２５ａ等を備え、その内部にホールコンピュータ通信部２１ａ，玉貸通信部２１ｂ，制御部２２，会員カードＲ／Ｗ２４，及びプリペイドカードＲ／Ｗ２５等を備えており、これらの各機器は図２に示すように接続されている。
【００３４】
ホールコンピュータ通信部２１ａは、台端末３及び中継コンピュータ４を介してホールコンピュータ４０の通信部４１と通信可能に接続され、カードユニット２０とホールコンピュータ４０との間における通信を司るものである。
【００３５】
玉貸通信部２１ｂは、パチンコ機１０に設けられる玉払出制御基板１２，残度数表示器１２ａ，玉貸ボタン１２ｂ，及びプリペイドカード返却ボタン１２ｃと接続されている。これにより、パチンコ機１０とカードユニット２０との間でパチンコ玉の貸出に関する信号のやり取りが行われる。
【００３６】
制御部２２は、ＣＰＵ，ＲＡＭ，及びＲＯＭ等を備え、ＲＯＭに記憶されている処理プログラムがＲＡＭを作業領域としてＣＰＵで実行されることにより、カードユニット２０に設けられる各構成要素の動作を制御して各種の処理を行うものである。この制御部２２は、ディスプレイ２３に表示させる表示内容の制御を行う表示制御手段として機能するものである。
【００３７】
タッチパネル式のディスプレイ２３は、各種の情報を表示すると共に、各種の入力を受け付けるものであって、表示画面が遊技者に向くようにカードユニット２０の前面から前方に突出する態様で設けられており、液晶表示器等の表示画面と、遊技者による押圧操作を検出するタッチパネルを備えている。
【００３８】
このタッチパネル式のディスプレイ２３は、後述する図６のＤ５に示すように前記比較基準期間の期間幅を設定変更する期間幅設定手段，前記差数の比較を実施する比較実施期間を設定変更する比較実施期間設定手段，後述する図６のＤ７に示すように、前記差数の比較の対象となる前記遊技者本人以外の他の遊技者を指定する比較対象遊技者指定手段，及び後述する図６のＤ９に示すように、所定の抽出条件を指定する抽出条件指定手段として機能するものである。ここで設定変更又は指定された比較基準期間の期間幅，比較実施期間，他の遊技者の会員ＩＤ，及び抽出条件は、カードユニット２０からホールコンピュータ４０に対して送信される。
【００３９】
またタッチパネル式のディスプレイ２３は、後述する図６のＤ６に示すように、後述する比較手段４２ｆによる比較結果に基づいて、前記比較基準期間の差数の傾向を表示する表示手段として機能するものである。具体的には、該比較手段４２ｆによる比較結果に基づいて、前記比較実施期間に属する前記比較基準期間と同一期間幅の各期間の差数の傾向を表示すると共に、後述するハードディスク４３により記憶されている差数のうち、前記比較基準期間の差数を、前記比較基準期間の差数の傾向と対応付けて表示する。また後述する図６のＤ８に示すように、該比較手段４２ｆにより、遊技者本人に関する比較基準期間の差数と他の遊技者に関する比較基準期間の差数が比較された比較結果を表示する。さらに後述する図６のＤ１０に示すように、後述する抽出手段４２ｇにより、後述するハードディスク４３により記憶されている差数が所定の抽出条件を満たしているとして抽出された抽出結果を表示する。ここで比較結果，抽出結果，及び差数は、ホールコンピュータ４０からカードユニット２０に対して送信される。
【００４０】
会員カードＲ／Ｗ２４は読取手段の一例であって、会員カード挿入・排出口２４ａから挿入された会員カード５を受け付けて、該受け付けた会員カード５から会員ＩＤを読み取るものである。この会員カードＲ／Ｗ２４は、前記ＩＣカードである会員カード５のＥＥＰＲＯＭに記録されている情報を非接触で読み取るＩＣリーダ／ライタを備えるものである。この会員カードＲ／Ｗ２４により会員ＩＤが読み取られると、カードユニット２０からホールコンピュータ４０に対して、該会員ＩＤが送信される。会員カード返却ボタン２４ｂは、会員カードＲ／Ｗ２４にて受け付けられている会員カード５の返却操作を受け付けるボタンである。この会員カード返却ボタン２４ｂが操作されて会員カード５が返却されると、カードユニット２０からホールコンピュータ４０に対して、返却信号が送信される。
【００４１】
プリペイドカードＲ／Ｗ２５は、プリペイドカード挿入・排出口２５ａから挿入されたプリペイドカードを受け付けて、該受け付けたプリペイドカードの記録情報（例えばカードＩＤ及びプリペイド度数）を読み取るものである。ここで読み取られた記録情報からプリペイド度数が特定されて、該特定されたプリペイド度数が制御部２２のＲＡＭに記憶されると共に残度数表示器１２ａに表示される。またプリペイドカードＲ／Ｗ２５は、プリペイド度数を使用したパチンコ玉の貸出が行われたときに、該使用されたプリペイド度数が減算された後の残度数をプリペイドカードに対して記録するものでもある。
【００４２】
このカードユニット２０が貸与処理装置として機能する場合には、以下のようにしてパチンコ玉の貸出が行われる。まず遊技者がプリペイドカードをプリペイドカード挿入・排出口２５ａに挿入すると、該プリペイドカードの記録情報がプリペイドカードＲ／Ｗ２５にて読み取られ、該記録情報から特定されるプリペイド度数が制御部２２のＲＡＭに記憶されると共に残度数表示器１２ａに表示される。次に遊技者が玉貸ボタン１２ｂを操作すると、パチンコ機１０とカードユニット２０との間でパチンコ玉の貸出に関する信号のやり取りが行われ、所定度数分のパチンコ玉が玉払出装置１３から払い出されて、パチンコ玉の貸出が行われる。そして１００円に相当する１度数のプリペイド度数が使用される毎に、ホールコンピュータ通信部２１ａから、パチンコ玉の貸出に使用されたプリペイド度数を示す１パルスの売上信号が遊技情報として出力される。このようにカードユニット２０から出力される売上信号は、台端末３及び中継コンピュータ４を介してホールコンピュータ４０に入力される。なお遊技者がプリペイドカード返却ボタン１２ｃを操作すると、前記挿入されているプリペイドカードがカード挿入・排出口２４ａから排出される。このカードユニット２０が遊技用表示装置として機能する場合については、遊技用表示システム１の作用の説明で詳述する。
【００４３】
遊技情報表示端末３０は前記遊技用表示装置の一例であって、図３に示すように、遊技場内の所定箇所（例えば景品カウンタの近傍等）に設けられ、キオスク端末型の形状を呈するものであり、その前面にタッチパネル式のディスプレイ３３，及び会員カード挿入・排出口３４ａ等を備え、その内部に通信部３１，制御部３２，及び会員カードＲ／Ｗ３４等を備えており、これらの各機器は図１に示すように接続されている。
【００４４】
通信部３１は、ホールコンピュータ４０の通信部４１と通信可能に接続され、遊技情報表示端末３０とホールコンピュータ４０との間における通信を司るものである。制御部３２は、ＣＰＵ，ＲＡＭ，及びＲＯＭ等を備え、ＲＯＭに記憶されている処理プログラムがＲＡＭを作業領域としてＣＰＵで実行されることにより、遊技情報表示端末３０に設けられる各構成要素の動作を制御して各種の処理を行うものである。この制御部３２は、ディスプレイ３３に表示させる表示内容の制御を行う表示制御手段として機能するものである。
【００４５】
タッチパネル式のディスプレイ３３は、各種の情報を表示すると共に、各種の入力を受け付けるものであって、表示画面が遊技者に向くように遊技情報表示端末３０の前面に設けられており、液晶表示器等の表示画面と、遊技者による押圧操作を検出するタッチパネルを備えている。
【００４６】
このタッチパネル式のディスプレイ３３は、前記タッチパネル式のディスプレイ２３と同様に、前記期間幅設定手段，前記比較実施期間設定手段，前記比較対象遊技者指定手段，及び前記抽出条件指定手段として機能するものである。ここで設定変更又は指定された比較基準期間の期間幅，比較実施期間，他の遊技者の会員ＩＤ，及び抽出条件は、遊技情報表示端末３０からホールコンピュータ４０に対して送信される。またタッチパネル式のディスプレイ３３は、前記タッチパネル式のディスプレイ２３と同様に、前記表示手段として機能するものである。ここで前記比較結果，抽出結果，及び差数は、ホールコンピュータ４０から遊技情報表示端末３０に対して送信される。
【００４７】
会員カードＲ／Ｗ３４は、会員カード挿入・排出口３４ａから挿入された会員カード５を受け付けて、該受け付けた会員カード５から会員ＩＤを読み取るものである。この会員カードＲ／Ｗ３４は、前記ＩＣカードである会員カード５のＥＥＰＲＯＭに記録されている情報を非接触で読み取るＩＣリーダ／ライタを備えるものである。この会員カードＲ／Ｗ３４により会員ＩＤが読み取られると、遊技情報表示端末３０からホールコンピュータ４０に対して、該会員ＩＤが送信される。
【００４８】
ホールコンピュータ４０は遊技情報管理装置の一例であって、パチンコ機１０やカードユニット２０から送信されてくる遊技情報を集計して管理するものであり、遊技場内の所定箇所（例えば管理事務所等）に設けられ、図１に示すように接続される通信部４１，制御部４２，及びハードディスク４３等を備えている。
【００４９】
通信部４１は収支情報入力手段の一例であって、パチンコ機１０での遊技に関連して発生する、遊技場にとっての収支に関する情報（ここでは打込玉信号及び賞球信号）を入力するものである。この通信部４１には、図４に示すように、打込玉信号出力部１５ａから出力される遊技場にとって利益を示す情報（ここでは打込玉信号）を入力する利益情報入力手段である打込玉信号入力部４１ａと、賞球信号出力部１４ａから出力される遊技場にとって不利益を示す情報（ここでは賞球信号）を入力する不利益情報入力手段である賞球信号入力部４１ｂと、カードユニット２０又は遊技情報表示端末３０から出力される前記会員ＩＤ及び返却信号を入力する会員ＩＤ入力部４１ｃと、カードユニット２０又は遊技情報表示端末３０から出力される前記比較基準期間の期間幅，比較実施期間，他の遊技者の会員ＩＤ，及び抽出条件を入力する設定条件入力部４１ｄと、カードユニット２０又は遊技情報表示端末３０に対して前記比較結果，抽出結果，及び差数を出力する情報出力部４１ｅが設けられる。
【００５０】
制御部４２はＣＰＵ，ＲＡＭ，ＲＯＭ等を備え、ハードディスク４３に記憶されている処理プログラムがＲＡＭを作業領域としてＣＰＵで実行されることにより、ホールコンピュータ４０に設けられる各構成要素の動作を制御して各種の処理を行うものである。この制御部４２には、該各種の処理を行う手段として、利益情報集計手段４２ａ，不利益情報集計手段４２ｂ，差数算出手段４２ｃ，遊技開始判定手段４２ｄ，遊技終了判定手段４２ｅ，比較手段４２ｆ，及び抽出手段４２ｇが設けられている。
【００５１】
利益情報集計手段４２ａは、前記利益情報入力手段に入力された情報に基づいて遊技場にとって利益を示す情報である利益情報を各遊技機毎に集計するものであり、具体的には、打込玉信号入力部４１ａに入力された打込玉信号の受信数に信号比（ここでは打込玉が１０個計数される毎に１パルスの打込玉信号が入力されるので信号比は「１０」）を乗算した打込玉数が、利益情報として各パチンコ機１０毎に集計される。
【００５２】
不利益情報集計手段４２ｂは、前記不利益情報入力手段に入力された情報に基づいて遊技場にとって不利益を示す情報である不利益情報を各遊技機毎に集計するものであり、具体的には、賞球信号入力部４１ｂに入力された賞球信号の受信数に信号比（ここでは１０個の賞球が払い出される毎に１パルスの賞球信号が入力されるので信号比は「１０」）を乗算した払出玉数が、不利益情報として各パチンコ機１０毎に集計される。
【００５３】
差数算出手段４２ｃは、利益情報集計手段４２ａにより集計された利益情報と、不利益情報集計手段４２ｂにより集計された不利益情報との差数を、各遊技機毎に算出するものであり、具体的には、不利益情報（ここでは払出玉数）−利益情報（ここでは打込玉数）の式で差数である差玉数が各パチンコ機１０毎に算出される。この差数がマイナスであれば遊技場側の利益（即ち遊技者側の不利益）であり、該差数がプラスであれば遊技場側の不利益（即ち遊技者側の利益）である。この差数は、集計された利益情報と不利益情報に基づいて算出されるので、該差数の算出にかかる処理負荷が軽減される。即ち差数算出手段４２ｃによる差数の算出は、打込玉数や払出玉数がある程度集計されてから行えば良く、それらが算出される毎にリアルタイムで行う必要がないため、処理負荷が低減される。
【００５４】
遊技開始判定手段４２ｄは、読取手段により会員ＩＤが読み取られたとき、該読取手段に対応する遊技機での遊技が開始されたと判定するものであり、具体的には、会員カードＲ／Ｗ２４により読み取られた会員ＩＤがカードユニット２０から出力されて会員ＩＤ入力部４１ｃに入力されたとき、該会員カードＲ／Ｗ２４が設けられたカードユニット２０に対応するパチンコ機１０での遊技が開始されたと判定する。
【００５５】
遊技終了判定手段４２ｅは、遊技開始判定手段４２ｄにより遊技が開始されたと判定された後、所定の終了条件が満たされたとき、該遊技が終了したと判定するものであり、具体的には、返却信号がカードユニット２０から出力されて会員ＩＤ入力部４１ｃに入力されたとき、該カードユニット２０に対応するパチンコ機１０での遊技が終了したと判定する。
【００５６】
ハードディスク４３は収支関連情報記憶手段の一例であって、遊技者の遊技機での遊技における収支に関する収支関連情報を、該遊技者を特定可能な遊技者特定情報及び前記収支関連情報が発生した日付に対応付けて記憶するものであり、具体的には、図４の表に示すように、遊技開始判定手段４２ｄによる遊技開始の判定から遊技終了判定手段４２ｅによる遊技終了の判定までの間に前記収支情報入力手段である通信部４１に入力された情報に基づいて得られる収支関連情報（ここでは差数算出手段４２ｃにより算出された差数）を、前記会員カードＲ／Ｗ２４により読み取られた会員ＩＤ，該差数が発生した日付，及びパチンコ機１０の機種に対応付けて記憶するものである。
【００５７】
このように、パチンコ機１０に対応する会員カードＲ／Ｗ２４により遊技者特定情報が読み取られて遊技が開始されたと判定されてから、所定の終了条件が満たされて遊技が終了したと判定されるまでの間において発生した収支関連情報が、該会員カードＲ／Ｗ２４により読み取られた会員ＩＤに対応付けて記憶されるので、該遊技者に関する差数を正確に記憶できる。なお、これらのデータは、前記比較実施期間として設定可能な最大日数（図６のＤ５に示す例では１２月）分が記憶される。
【００５８】
比較手段４２ｆは、ハードディスク４３により記憶されている差数のうち、差数の比較において基準となる所定期間幅の比較基準期間の差数を、該比較基準期間の直前における該比較基準期間と同一期間幅の比較対象期間の差数と比較するものである。具体的には、デフォルト設定されている比較基準期間の期間幅が１日間である場合には、ハードディスク４３に記憶されている差数のうち、比較基準期間である１日前の差数が比較対象期間である２日前の差数と比較される。なお比較基準期間を日単位でカウントする場合には、遊技が毎日行われて差数が毎日発生するとは限らないため、遊技が行われて差数が発生した日を１日とカウントするのが好ましい。即ち図４の表に示す例では、０００１の会員ＩＤと対応付けて記憶されている差数のうち、２００２年９月１７日の分が１日前の差数，同１５日の分が２日前の差数，同１４日の分が３日前の差数，及び同１２日の分が４日前の差数とカウントされる。なお比較基準期間の期間幅のデフォルト設定は、１日，１週間，１月，又は３月等に設定変更可能である。
【００５９】
また比較手段４２ｆは、ハードディスク４３により記憶されている差数のうち、差数の比較を実施する比較実施期間に属する前記比較基準期間と同一期間幅の各期間の差数を、該各期間の直前における期間の差数と比較するものである。具体的には、後述する図６のＤ６に示すように、比較実施期間が３日間であり、比較基準期間の期間幅が１日間である場合には、比較基準期間である１日前の差数を該比較基準期間の直前で同一期間幅である２日前の差数と比較し、同様にして２日前の差数を３日前の差数と比較し、３日前の差数を４日前の差数と比較する。また同Ｄ６’の例１に示すように、比較実施期間が８週間であり、比較基準期間の期間幅が２週間である場合には、比較基準期間である１〜２週前の差数を該比較基準期間の直前で同一期間幅である３〜４週前の差数と比較し、同様にして３〜４週前の差数を５〜６週前の差数と比較し、５〜６週前の差数を７〜８週前の差数と比較し、７〜８週前の差数を９〜１０週前の差数と比較する。さらに同Ｄ６’の例２に示すように、比較実施期間が６月間であり、比較基準期間の期間幅が３月間である場合には、比較基準期間である１〜３月前の差数を該比較基準期間の直前で同一期間幅である４〜６月前の差数と比較する。
【００６０】
さらに比較手段４２ｆは、ハードディスク４３により記憶されている差数のうち、遊技者本人に関する前記比較基準期間の差数を、前記比較対象遊技者指定手段により指定された他の遊技者に関する前記比較基準期間の差数と比較するものである。具体的には、前記比較対象遊技者指定手段であるディスプレイ２３又は３３により指定された他の遊技者の会員ＩＤがカードユニット２０又は遊技情報表示端末３０から出力されて設定条件入力部４１ｄに入力されたとき、ハードディスク４３に記憶されている差数のうち、デフォルト設定されている比較基準期間（例えば１日間）の差数が、遊技者本人と他の遊技者について抽出され、該抽出された差数が比較される。
【００６１】
抽出手段４２ｇは、ハードディスク４３により記憶されている差数が所定の抽出条件を満たしている機種を抽出するものである。具体的には、前記抽出条件指定手段であるディスプレイ２３又は３３により指定された抽出条件がカードユニット２０又は遊技情報表示端末３０から出力されて設定条件入力部４１ｄに入力されたとき、ハードディスク４３に記憶されている差数が該所定の抽出条件を満たしている機種が抽出される。
【００６２】
次に遊技用表示システム１の作用について説明する。ここで図５及び図６はカードユニット２０又は遊技情報表示端末３０のディスプレイ２３又は３３に表示される画面の一例を表す図である。以下においては、過去の差数が図４の表に示すようにハードディスク４３に記憶されており、本日が２００２年９月１８日であり、会員ＩＤとして「０００１」が記録された会員カード５が会員カードＲ／Ｗ２４又は３４にて受け付けられる例について説明する。また各画面で遊技者により「戻る」ボタンが操作されると、一つ前の画面に戻る。以下においては、まずカードユニット２０及びホールコンピュータ４０の作用について説明し、次に遊技情報表示端末３０及びホールコンピュータ４０の作用について、前者と異なる点について説明する。
【００６３】
まず、遊技用表示装置として機能するカードユニット２０及び遊技情報管理装置として機能するホールコンピュータ４０の作用について説明する。まずカードユニット２０においては、図５のＤ１に示すように、会員カード５の挿入を促す旨がディスプレイ２３に表示される。ここで遊技者により会員カード挿入・排出口２４ａから会員カード５が挿入されると、会員カードＲ／Ｗ２４により、該会員カード５から会員ＩＤ（ここでは０００１）が読み取られ、該読み取られた会員ＩＤがカードユニット２０からホールコンピュータ４０に対して送信されると共に、図５のＤ２に示すメニュー画面がディスプレイ２３に表示される。
【００６４】
次にホールコンピュータ４０においては、該会員ＩＤが会員ＩＤ入力部４１ｃに入力されたとき、遊技開始判定手段４２ｄにより、該会員カードＲ／Ｗ２４が設けられたカードユニット２０に対応するパチンコ機１０での遊技が開始されたと判定される。またパチンコ機１０において遊技が開始されて、打込玉信号が打込玉信号入力部４１ａに入力されると、利益情報集計手段４２ａにより打込玉数が集計され、賞球信号が賞球信号入力部４１ｂに入力されると、不利益情報集計手段４２ｂにより払出玉数が集計され、該算出された打込玉数と払出玉数に基づいて、差数算出手段４２ｃにより払出玉数−打込玉数の式で差数が算出される。
【００６５】
次にカードユニット２０において、遊技者により会員カード返却ボタン２４ｂが操作されると、前記挿入されている会員カード５が会員カード挿入・排出口２４ａから返却されると共に、返却信号がカードユニット２０からホールコンピュータ４０に対して送信される。そしてホールコンピュータ４０においては、該返却信号が会員ＩＤ入力部４１ｃに入力されたとき、遊技終了判定手段４２ｅにより、該カードユニット２０に対応するパチンコ機１０での遊技が終了したと判定され、遊技開始判定手段４２ｄによる遊技開始の判定から遊技終了判定手段４２ｅによる遊技終了の判定までの間において差数算出手段４２ｃにより算出された差数が、前記会員カードＲ／Ｗ２４により読み取られた会員ＩＤ（ここでは０００１），該差数が発生した日付（ここでは２００２年９月１８日），及びパチンコ機１０の機種と対応付けて、ハードディスク４３に記憶される。
【００６６】
図５のＤ２に示すメニュー画面では、メニューの選択を促す旨が表示されると共に、該メニューを選択するためのボタンとして「個人遊技情報」ボタン，「テレビ」ボタン，及び「注文」ボタンが表示される。このＤ２で遊技者により、「テレビ」ボタンが操作されると、テレビ画像がディスプレイ２３に表示され、「注文」ボタンが操作されると、飲み物，食べ物，プリペイドカード等の注文を受け付ける画面がディスプレイ２３に表示される。一方、このＤ２で遊技者により「個人遊技情報」ボタンが操作されると、図５のＤ３に示すサブメニュー画面がディスプレイ２３に表示される。
【００６７】
図５のＤ３に示すサブメニュー画面では、サブメニューの選択を促す旨が表示されると共に、該サブメニューを選択するためのボタンとして「好不調表示」ボタン，「期間設定」ボタン，「比較対象遊技者指定」ボタン，及び「抽出条件指定」ボタンが表示される。なおＤ３で遊技者により「メニュー」ボタンが操作されると、Ｄ２に示すメニュー画面に戻る。
【００６８】
前記Ｄ３で遊技者により「好不調表示」ボタンが操作されると、好不調表示要求がカードユニット２０からホールコンピュータ４０に対して送信される。該好不調表示要求を受信したホールコンピュータ４０においては、デフォルト設定されている比較基準期間の期間幅（ここでは１日間）に基づいて、比較手段４２ｆにより、ハードディスク４３により０００１の会員ＩＤと対応付けて記憶されている差数のうち、比較基準期間である１日前の差数（ここでは２００２年９月１７日分の差数である１１３６０個）が比較対象期間である２日前（ここでは２００２年９月１５日分の差数である５５３０個）の差数と比較され、該比較結果がホールコンピュータ４０からカードユニット２０に対して送信される。
【００６９】
そして該比較結果を受信したカードユニット２０においては、図５のＤ４に示すように、該比較結果に基づいて、前記比較基準期間の差数の傾向が、表示手段として機能するディスプレイ２３に表示される。具体的には、比較結果が１日前の差数＞２日前の差数であるため、差数の傾向として「好調」である旨が表示される。なお比較結果が１日前の差数＜２日前の差数である場合には、差数の傾向として「不調」である旨が表示される。このように、差数の比較において基準となる所定期間幅の比較基準期間の差数が、該比較基準期間の直前における該比較基準期間と同一期間幅の比較対象期間の差数と比較されて、該比較結果に基づいて前記比較基準期間の差数の傾向が表示されるので、遊技者は過去の遊技における自己の好不調の変化を一見して把握することができ、該差数の傾向を指標として遊技形態を選択することにより節度ある遊技を行うことができる。
【００７０】
前記Ｄ３で遊技者により「期間設定」ボタンが操作されると、図６のＤ５に示す期間設定画面が、前記期間幅設定手段及び前記比較実施期間設定手段として機能するディスプレイ２３に表示される。この期間設定画面では、比較実施期間を設定するためのコンボボックスｄ１と、比較基準期間の期間幅を設定するためのコンボボックスｄ２が表示される。ここで遊技者の操作により、コンボボックスｄ１及びｄ２に表示される選択肢（Ｄ５’を参照）の中から一つの期間が選択されると、該選択された期間がコンボボックスｄ１及びｄ２に表示され、「設定」ボタンが操作されると、該表示された比較基準期間の期間幅（ここでは１日間）及び比較実施期間（ここでは３日間）が設定されてカードユニット２０からホールコンピュータ４０に対して送信される。このように、遊技者が任意に比較基準期間の期間幅を設定できるので、該遊技者の希望に沿った期間幅を設定できる。
【００７１】
なお、ここで設定される比較実施期間及び比較基準期間は、比較実施期間＞比較基準期間でなければならず、比較実施期間≦比較基準期間である場合にはエラーとなる。また、ここで設定される比較実施期間及び比較基準期間は、ディスプレイ２３により比較結果を表示しきれる範囲でなければならず、例えば比較実施期間が１２月で比較基準期間が１日というように、比較結果が膨大となるためにディスプレイ２３により比較結果を表示しきれない場合にはエラーとなる。
【００７２】
該比較基準期間の期間幅及び比較実施期間を受信したホールコンピュータ４０においては、比較手段４２ｆにより、ハードディスク４３により０００１の会員ＩＤと対応付けて記憶されている差数のうち、該比較実施期間（ここでは３日間）に属する前記比較基準期間（ここでは１日前）と同一期間幅の各期間（即ち１日前，２日前，及び３日前）の差数が、該各期間の直前における期間（即ち２日前，３日前，及び４日前）の差数と比較される。具体的には、比較基準期間である１日前の差数（ここでは２００２年９月１７日分の差数である１１３６０個）が比較対象期間である２日前（ここでは２００２年９月１５日分の差数である５５３０個）の差数と比較され、同様にして２日前の差数が３日前の差数（ここでは２００２年９月１４日分の差数である２８００個）と比較され、３日前の差数が４日前の差数（ここでは２００２年９月１２日分の差数である１２４５０個）と比較され、該比較結果がホールコンピュータ４０からカードユニット２０に対して送信される。またハードディスク４３により０００１の会員ＩＤと対応付けて記憶されている差数のうち、前記比較実施期間（即ち１日前，２日前，及び３日前）の差数が、ホールコンピュータ４０からカードユニット２０に対して送信される。
【００７３】
そして該比較結果及び差数を受信したカードユニット２０においては、図６のＤ６に示すように、該比較結果に基づいて、前記比較実施期間に属する前記比較基準期間と同一期間幅の各期間（比較基準期間も含む）の差数の傾向が、表示手段として機能するディスプレイ２３に表示されると共に、前記差数が、該差数の傾向と対応付けて、表示手段として機能するディスプレイ２３に表示される。具体的には、比較結果が１日前の差数＞２日前の差数であるため、差数の傾向として上昇傾向を示す右上がりの矢印が表示されると共に、それと対応付けて該１日前の差数である１１３６０個が表示される。また比較結果が２日前の差数＞３日前の差数であるため、差数の傾向として上昇傾向を示す右上がりの矢印が表示されると共に、それと対応付けて該２日前の差数である５５３０個が表示される。さらに比較結果が３日前の差数＞４日前の差数であるため、差数の傾向として下降傾向を示す右下がりの矢印が表示されると共に、それと対応付けて該３日前の差数である２８００個が表示される。
【００７４】
このように、収支関連情報として差数が表示されるので、遊技者は過去の遊技における自己の好不調の変化を把握する上で重要な差数の傾向を参考にして遊技形態を選択することができる。また比較実施期間に属する比較基準期間と同一期間幅の各期間の差数の傾向が表示されるので、遊技者は差数の傾向の推移を一見して把握することができ、該比較実施期間内の遊技における自己の好不調の変化を一見して把握することができる。さらに比較基準期間の差数が該比較基準期間の差数の傾向と対応付けて表示されるので、遊技者は差数の傾向のみならず差数自体も確認でき、自己の好不調をより具体的に把握できる。なおＤ６で遊技者により「サブメニュー」ボタンが操作されると、Ｄ３に示すサブメニュー画面に戻る。
【００７５】
またＤ５に示す期間設定画面で、比較実施期間として８週間，比較基準期間として２週間が設定された場合には、Ｄ６’の例１に示すように前記比較結果及び差数が表示され、比較実施期間として６月間，比較基準期間として３月間が設定された場合には、Ｄ６’の例２に示すように前記比較結果及び差数が表示される。
【００７６】
前記Ｄ３で遊技者により「比較対象遊技者指定」ボタンが操作されると、図６のＤ７に示す比較対象遊技者指定画面が、前記比較対象遊技者指定手段として機能するディスプレイ２３に表示される。この比較対象遊技者指定画面では、比較対象遊技者である他の遊技者の会員ＩＤの入力を促す旨が表示されると共に、該会員ＩＤの入力欄，及びテンキーが表示される。ここで遊技者によりテンキーが操作されると、該操作された数字が会員ＩＤの入力欄に表示され、「指定」ボタンが操作されると、該表示された数字（ここでは０００２）が他の遊技者の会員ＩＤとして指定されてカードユニット２０からホールコンピュータ４０に対して送信される。
【００７７】
該他の遊技者の会員ＩＤを受信したホールコンピュータ４０においては、デフォルト設定されている比較基準期間（ここでは１日間）の差数として、ハードディスク４３により０００１の会員ＩＤと対応付けて記憶されている差数（即ち遊技者本人に関する差数）のうち、比較基準期間である１日前の差数（ここでは２００２年９月１７日分の差数である１１３６０個）が抽出されると共に、ハードディスク４３により０００２の会員ＩＤと対応付けて記憶されている差数（即ち他の遊技者に関する差数）のうち、比較基準期間である１日前の差数（ここでは２００２年９月１７日分の差数である８９４０個）が抽出され、比較手段４２ｆにより、該抽出された差数が比較され、該比較結果がホールコンピュータ４０からカードユニット２０に対して送信される。またハードディスク４３により０００１の会員ＩＤと対応付けて記憶されている差数，及び０００２の会員ＩＤと対応付けて記憶されている差数のうち、前記比較基準期間（即ち１日前）の差数が、ホールコンピュータ４０からカードユニット２０に対して送信される。
【００７８】
そして該比較結果及び差数を受信したカードユニット２０においては、図６のＤ８に示すように、該比較結果が、表示手段として機能するディスプレイ２３に表示されると共に、前記差数が、該比較結果と対応付けて、表示手段として機能するディスプレイ２３に表示される。具体的には、比較結果が遊技者本人に関する差数＞他の遊技者に関する差数であるため、遊技者本人（ここでは「あなた」）について「勝ち」と表示され、それと対応付けて前記１日前の差数である１１３６０個が表示されと共に、他の遊技者（ここでは「相手」）について「負け」と表示され、それと対応付けて前記１日前の差数である８９４０個が表示される。なお比較結果が遊技者本人に関する差数＜他の遊技者に関する差数である場合には、遊技者本人について「負け」と表示され、他の遊技者について「勝ち」と表示される。
【００７９】
このように、遊技者本人に関する比較基準期間の差数が他の遊技者に関する比較基準期間の差数と比較されて該比較結果が表示されるので、遊技者の競争心を刺激して遊技意欲の向上が図られる。なおＤ８で遊技者により「サブメニュー」ボタンが操作されると、Ｄ３に示すサブメニュー画面に戻る。
【００８０】
前記Ｄ３で遊技者により「抽出条件指定」ボタンが操作されると、図６のＤ９に示す抽出条件指定画面が、前記抽出条件指定手段として機能するディスプレイ２３に表示される。この抽出条件指定画面では、機種を抽出する条件の指定を促す旨が表示されると共に、該抽出条件を指定するためのボタンとして「差数＋１００００以上」ボタン，「差数−１００００以下」ボタン，「勝率７割以上」ボタン，及び「勝率３割以下」ボタンが表示される。なお遊技者により「前頁」ボタン，又は「次頁」ボタンが操作されると、画面遷移して該抽出条件を指定するための他のボタンが表示される。ここで遊技者によりいずれかのボタン（ここでは「勝率７割以上」ボタン）が操作されると、該操作されたボタンに応じた抽出条件が指定されてカードユニット２０からホールコンピュータ４０に対して送信される。
【００８１】
該抽出条件を受信したホールコンピュータ４０においては、抽出手段４２ｇにより、ハードディスク４３により０００１の会員ＩＤと対応付けて記憶されている差数が該抽出条件を満たしている機種が抽出され、該抽出結果がホールコンピュータ４０からカードユニット２０に対して送信される。ここでは抽出条件が「勝率７割以上」であるので、勝った回数＝差数がプラスである回数が遊技回数に対して７割以上である機種として、１戦１勝（即ち勝率１０割）である機種ＣＲ．ＤＤＤが抽出される。なお抽出条件が「勝率３割以下」である場合には、負けた数＝差数がマイナスである回数が遊技回数に対して３割以下である機種として、１戦１敗（即ち勝率０割）である機種ＣＲ．ＣＣＣが抽出される。また抽出条件が「差数＋１００００以上」である場合には、差数が１２０５０であるＣＲ．ＢＢＢ及び差数が１３１１０であるＣＲ．ＤＤＤが抽出され、抽出条件が「差数−１００００以下」である場合には、該当する機種がないため抽出されない。そして該抽出結果を受信したカードユニット２０においては、図６のＤ１０に示すように、該抽出結果（ここではＣＲ．ＤＤＤ）が、表示手段として機能するディスプレイ２３に表示される。
【００８２】
このように、差数が所定の抽出条件を満たしている機種が抽出されて該抽出結果が表示されるので、遊技者が遊技形態を選択する際のさらなる判断材料を提供できる。なおＤ１０で遊技者により「サブメニュー」ボタンが操作されると、Ｄ３に示すサブメニュー画面に戻る。
【００８３】
次に、遊技用表示装置として機能する遊技情報表示端末３０及び遊技情報管理装置として機能するホールコンピュータ４０の作用について説明する。まず遊技情報表示端末３０においては、図５のＤ１に示すように、会員カード５の挿入を促す旨がディスプレイ３３に表示される。ここで遊技者により会員カード挿入・排出口３４ａから会員カード５が挿入されると、会員カードＲ／Ｗ３４により、該会員カード５から会員ＩＤ（ここでは０００１）が読み取られ、該読み取られた会員ＩＤが遊技情報表示端末３０からホールコンピュータ４０に対して送信されると共に、図５のＤ２’に示すメニュー画面がディスプレイ３３に表示される。
【００８４】
図５のＤ２’に示すメニュー画面では、メニューの選択を促す旨が表示されると共に、該メニューを選択するためのボタンとして「個人遊技情報」ボタン，「台別遊技情報」ボタン，及び「機種別遊技情報」ボタンが表示される。このＤ２で遊技者により、「台別遊技情報」ボタンが操作されると、遊技情報を表示させるパチンコ機１０を選択する画面，及び該選択されたパチンコ機１０の遊技情報を表示する画面がディスプレイ３３に展開され、「機種別遊技情報」ボタンが操作されると、遊技情報を表示させる機種を選択する画面，及び該選択された機種の遊技情報を表示する画面がディスプレイ３３に展開される。
【００８５】
一方、このＤ２’で遊技者により「個人遊技情報」ボタンが操作されると、図５のＤ３に示すサブメニュー画面がディスプレイ３３に表示され、前記ディスプレイ２３と同様に、Ｄ４〜Ｄ１０の画面がディスプレイ３３に表示される。なおＤ２’で遊技者により「終了」ボタンが操作されると、前記挿入されている会員カード５が会員カード挿入・排出口３４ａから返却されると共に、Ｄ１に戻る。
【００８６】
以上の説明では、会員ＩＤとして「０００１」が記録された会員カード５が会員カードＲ／Ｗ２４又は３４にて受け付けられる例について説明したが、別の会員ＩＤが記録された会員カード５が会員カードＲ／Ｗ２４又は３４にて受け付けられ場合には、ハードディスク４３により該別の会員ＩＤと対応付けて記憶されている差数に関するデータが表示される。
【００８７】
次に図７は、遊技用表示システム１’の変形例を表す機能ブロック図である。この変形例に係るホールコンピュータ４０’では、利益情報集計手段４２ａと不利益情報集計手段４２ｂが設けられておらず、また差数算出手段４２ｃは、利益情報入力手段に入力された情報に基づく利益情報と、不利益情報入力手段に入力された情報に基づく遊技場にとって不利益を示す不利益情報との差数を算出するように構成されているため、前記ホールコンピュータ４０と比較して差数の算出方法が異なる。
【００８８】
即ち変形例に係るホールコンピュータ４０’では、集計された利益情報と不利益情報に基づいて差数が算出されるのではなく、差数算出手段４２ｃにおいて、打込玉信号入力部４１ａに打込玉信号が入力される毎に、信号比である１０だけ差数が減算されると共に、賞球信号入力部４１ｂに賞球信号が入力される毎に、信号比である１０だけ差数が加算されて、差数が算出される。
【００８９】
なお変形例に係る遊技用表示システム１’のその他の構成は、前記遊技用表示システム１と同様である。従って、変形例に係る遊技用表示システム１’であっても、前記遊技用表示システム１と同様の作用及び効果を奏する。
【００９０】
以上に説明した実施形態と対応付けて本願の請求項に係る発明を説明すると、以下のとおりである。
【００９１】
まず請求項１に係る発明は、遊技者の遊技機（パチンコ機１０）での遊技における収支に関する収支関連情報（差数）を、該遊技者を特定可能な遊技者特定情報（会員ＩＤ）及び前記収支関連情報が発生した日付に対応付けて記憶する収支関連情報記憶手段（ハードディスク４３）と、該収支関連情報記憶手段により記憶されている収支関連情報のうち、収支関連情報の比較において基準となる所定期間幅の比較基準期間の収支関連情報を、該比較基準期間の直前における該比較基準期間と同一期間幅の比較対象期間の収支関連情報と比較する比較手段（４２ｆ）と、該比較手段による比較結果に基づいて、前記比較基準期間の収支関連情報の傾向を遊技者に対して表示する表示手段（ディスプレイ２３又は３３）と、を備える遊技用表示システム（１）である。
【００９２】
また請求項２に係る発明は、請求項１に記載した遊技用表示システム（１）であって、遊技機（パチンコ機１０）に対応して設けられ、遊技者を特定可能な遊技者特定情報（会員ＩＤ）が記録された遊技者特定記録媒体（会員カード５）を受け付けて、該受け付けた遊技者特定記録媒体から前記遊技者特定情報を読み取る読取手段（会員カードＲ／Ｗ２４）と、該読取手段により前記遊技者特定情報が読み取られたとき、該読取手段に対応する遊技機での遊技が開始されたと判定する遊技開始判定手段（４２ｄ）と、該遊技開始判定手段により遊技が開始されたと判定された後、所定の終了条件が満たされたとき、該遊技が終了したと判定する遊技終了判定手段（４２ｅ）と、前記遊技機での遊技に関連して発生する、遊技場にとっての収支に関する情報を入力する収支情報入力手段（通信部４１）と、を備え、前記収支関連情報記憶手段（ハードディスク４３）は、前記遊技開始判定手段による遊技開始の判定から前記遊技終了判定手段による遊技終了の判定までの間に前記収支情報入力手段に入力された情報に基づいて得られる前記収支関連情報（差数）を、前記読取手段により読み取られた遊技者特定情報に対応付けて記憶することを特徴とする遊技用表示システムである。
【００９３】
また請求項３に係る発明は、請求項２に記載した遊技用表示システム（１）であって、前記収支情報入力手段（通信部４１）は、前記遊技機（パチンコ機１０）での遊技に関連して発生する、遊技場にとって利益を示す情報（打込玉信号）を入力する利益情報入力手段（打込玉信号入力部４１ａ）と、前記遊技機での遊技に関連して発生する、遊技場にとって不利益を示す情報（賞球信号）を入力する不利益情報入力手段（賞球信号入力部４１ｂ）と、を備え、前記遊技用表示システムは、前記利益情報入力手段に入力された情報に基づく遊技場にとって利益を示す利益情報（打込玉数）と、前記不利益情報入力手段に入力された情報に基づく遊技場にとって不利益を示す不利益情報（払出玉数）との差数（差玉数）を、各遊技機毎に算出する差数算出手段（４２ｃ）をさらに備え、前記収支関連情報記憶手段（ハードディスク４３）は、前記遊技開始判定手段（４２ｄ）による遊技開始の判定から前記遊技終了判定手段（４２ｅ）による遊技終了の判定までの間において前記差数算出手段により算出された差数を、前記収支関連情報として記憶することを特徴とする遊技用表示システムである。
【００９４】
また請求項４に係る発明は、請求項３に記載した遊技用表示システム（１）であって、前記利益情報入力手段（打込玉信号入力部４１ａ）に入力された情報（打込玉信号）に基づいて遊技場にとって利益を示す利益情報（打込玉数）を各遊技機（パチンコ機１０）毎に集計する利益情報集計手段（４２ａ）と、前記不利益情報入力手段（賞球信号入力部４１ｂ）に入力された情報（賞球信号）に基づいて遊技場にとって不利益を示す不利益情報（払出玉数）を各遊技機毎に集計する不利益情報集計手段（４２ｂ）と、をさらに備え、前記差数算出手段（４２ｃ）は、前記利益情報集計手段により集計された利益情報と、前記不利益情報集計手段により集計された不利益情報との差数（差玉数）を、各遊技機毎に算出することを特徴とする遊技用表示システムである。
【００９５】
また請求項５に係る発明は、請求項１〜４のいずれか１つに記載した遊技用表示システム（１）であって、前記比較基準期間の期間幅を設定変更する期間幅設定手段（ディスプレイ２３又は３３）をさらに備えることを特徴とする遊技用表示システムである。
【００９６】
また請求項６に係る発明は、請求項１〜５のいずれか１つに記載した遊技用表示システム（１）であって、前記収支関連情報（差数）の比較を実施する比較実施期間を設定変更する比較実施期間設定手段（ディスプレイ２３又は３３）をさらに備え、前記比較手段（４２ｆ）は、前記収支関連情報記憶手段（ハードディスク４３）により記憶されている収支関連情報のうち、前記比較実施期間に属する前記比較基準期間と同一期間幅の各期間の収支関連情報を、該各期間の直前における期間の収支関連情報と比較し、前記表示手段（ディスプレイ２３又は３３）は、該比較手段による比較結果に基づいて、前記比較実施期間に属する前記比較基準期間と同一期間幅の各期間の収支関連情報の傾向を遊技者に対して表示することを特徴とする遊技用表示システムである。
【００９７】
また請求項７に係る発明は、請求項１〜６のいずれか１つに記載した遊技用表示システム（１）であって、前記表示手段（ディスプレイ２３又は３３）は、前記収支関連情報記憶手段（ハードディスク４３）により記憶されている収支関連情報（差数）のうち、前記比較基準期間の収支関連情報を、前記比較基準期間の収支関連情報の傾向と対応付けて表示することを特徴とする遊技用表示システムである。
【００９８】
また請求項８に係る発明は、請求項１〜７のいずれか１つに記載した遊技用表示システム（１）であって、前記収支関連情報（差数）の比較の対象となる前記遊技者本人以外の他の遊技者を指定する比較対象遊技者指定手段（ディスプレイ２３又は３３）をさらに備え、前記比較手段（４２ｆ）は、前記収支関連情報記憶手段により記憶されている収支関連情報のうち、前記遊技者本人に関する前記比較基準期間の収支関連情報を、該比較対象遊技者指定手段により指定された他の遊技者に関する前記比較基準期間の収支関連情報と比較し、前記表示手段（ディスプレイ２３又は３３）は、該比較手段による比較結果を遊技者に対して表示することを特徴とする遊技用表示システムである。
【００９９】
さらに請求項９に係る発明は、請求項１〜８のいずれか１つに記載した遊技用表示システム（１）であって、前記収支関連情報記憶手段（ハードディスク４３）は、前記収支関連情報（差数）を、前記遊技機（パチンコ機１０）の機種と対応付けて記憶し、前記遊技用表示システムは、該収支関連情報記憶手段により記憶されている収支関連情報が所定の抽出条件を満たしている機種を抽出する抽出手段（４２ｇ）をさらに備え、前記表示手段（ディスプレイ２３又は３３）は、該抽出手段による抽出結果を遊技者に対して表示することを特徴とする遊技用表示システムである。
【０１００】
最後に、本発明の変形例について説明する。
【０１０１】
上記の実施形態では、収支関連情報が差数である例について説明したが、これに限らず、該収支関連情報は、例えば差数を金額に換算したものでも良い。
【０１０２】
上記の実施形態では、差数算出手段４２ｃにより算出した差数を、収支関連情報として収支関連情報記憶手段（ハードディスク４３）により記憶しておき、該記憶している差数を比較手段４２ｆにより比較する例について説明したが、これに限らず、利益情報（打込玉数）と不利益情報（払出玉数）を収支関連情報として収支関連情報記憶手段により記憶しておき、比較手段４２ｆにおいて比較を行う際に、該記憶している利益情報と不利益情報に基づいて、差数算出手段４２ｃにより差数を算出し、該算出した差数を比較手段４２ｆにより比較するようにしても良い。
【０１０３】
上記の実施形態では、遊技用表示システム１に備えられる各装置がＬＡＮ回線により接続されている例について説明したが、これに限らず、各装置は無線により接続されても良い。
【０１０４】
上記の実施形態では、遊技機がＣＲ式のパチンコ機１０である例について説明したが、これに限らず、該遊技機は、現金玉貸機から貸し出されるパチンコ玉を使用して遊技を行う現金式のパチンコ機でも良い。またパチンコ機は、遊技媒体であるパチンコ玉が指触不能に封入されると共に入賞口への入賞に応じて得点が付与される封入式のパチンコ機でも良く、この場合には、該パチンコ機において収支関連情報（差数）が算出され、該算出された収支関連情報がホールコンピュータ４０に対して送信されて、該送信されてきた収支関連情報が収支関連情報記憶手段（ハードディスク４３）により記憶される。さらに遊技機は、遊技媒体としてメダルを使用するスロットマシンでも良い。
【０１０５】
上記の実施形態では、表示手段としてカードユニット２０に備えられるディスプレイ２３及び遊技情報表示端末３０に備えられるディスプレイ３３の両方が設けられる例について説明したが、これに限らず、該表示手段としていずれか一方のみが設けられるものでも良い。また上記の実施形態では、遊技機（パチンコ機１０）に対応して設けられる表示手段（ディスプレイ２３）がカードユニット２０に備えられる例について説明したが、これに限らず、該表示手段は、遊技機に対応して設けられる呼出ランプに備えられるものでも良い。
【０１０６】
上記の実施形態では、期間幅設定手段（ディスプレイ２３又は３３）がカードユニット２０又は遊技情報表示端末３０に設けられ、遊技者の操作により比較基準期間の期間幅が設定される例について説明したが、これに限らず、例えば期間幅設定手段をホールコンピュータ４０に設けるように構成し、遊技場側の操作により比較基準期間の期間幅が設定されるようにしても良い。これによれば、遊技場側が任意に比較基準期間の期間幅を設定できるので、該遊技場側の希望に沿った期間幅を設定できる。
【０１０７】
上記の実施形態では、比較実施期間設定手段（ディスプレイ２３又は３３）がカードユニット２０又は遊技情報表示端末３０に設けられ、遊技者の操作により比較実施期間が設定される例について説明したが、これに限らず、例えば比較実施期間設定手段をホールコンピュータ４０に設けるように構成し、遊技場側の操作により比較実施期間が設定されるようにしても良い。
【０１０８】
上記の実施形態では、遊技者特定記録媒体（会員カード５）とプリペイドカードが別個のカードにより構成され、各カードに対応した別個のカードＲ／Ｗ（会員カードＲ／Ｗ２４及びプリペイドカードＲ／Ｗ２５）により処理される例について説明したが、これに限らず、遊技者特定記録媒体とプリペイドカードを一体のカードにより構成し、単一のカードＲ／Ｗにより処理するようにしても良い。
【０１０９】
上記の実施形態では、図６のＤ５に示すように、比較実施期間が○日間，○週間，又は○月間といった期間で設定される例について説明したが、これに限らず、該比較実施期間は、例えば９月１４日〜９月１７日といった日付を指定して設定されるようにしても良い。
【０１１０】
上記の実施形態では、利益情報入力手段（打込玉信号入力部４１ａ），不利益情報入力手段（賞球信号入力部４１ｂ），利益情報集計手段４２ａ，不利益情報集計手段４２ｂ，差数算出手段４２ｃ，遊技開始判定手段４２ｄ，遊技終了判定手段４２ｅ，及び収支関連情報記憶手段（ハードディスク４３）がホールコンピュータ４０に設けられる例について説明したが、これに限らず、それらの全部又は一部をカードユニット２０に設けるように構成しても良い。具体的には、利益情報入力手段，不利益情報入力手段，利益情報集計手段，不利益情報集計手段，差数算出手段，遊技開始判定手段，及び遊技終了判定手段をカードユニット２０に設けて、遊技開始の判定から遊技終了の判定までの間における差数を該カードユニット２０において算出し、該算出した差数を遊技終了後にホールコンピュータ４０に対して送信し、該ホールコンピュータ４０において差数を記憶するようにしても良い。また利益情報入力手段，不利益情報入力手段，利益情報集計手段，不利益情報集計手段，遊技開始判定手段，及び遊技終了判定手段をカードユニット２０に設けて、遊技開始の判定から遊技終了の判定までの間における利益情報と不利益情報を該カードユニット２０において集計し、該集計した利益情報と不利益情報を遊技終了後にホールコンピュータ４０に対して送信し、該ホールコンピュータ４０において差数を算出して記憶するようにしても良い。
【０１１１】
上記の実施形態では、収支関連情報記憶手段（ハードディスク４３），及び比較手段（４２ｆ）がホールコンピュータ４０に設けられ、表示手段（ディスプレイ２３）がカードユニット２０に設けられる例について説明したが、これに限らず、それらの全部を遊技機（パチンコ機１０）に設けるように構成し、該遊技機自体で収支関連情報（差数）の記憶，比較，及び傾向の表示を行うようにしても良い。
【０１１２】
上記の実施形態では、差数算出手段４２ｃにおいて、払出玉数−打込玉数の式で差数である差玉数が算出される例について説明したが、これに限らず、例えば図８に示すようにして差数を算出するようにしても良い。即ち、まず通信部４１において、前記賞球信号入力部４１ｂに代えて、補給玉カウンタ１６の補給玉信号出力部１６ａから出力される補給玉信号が入力される補給玉信号入力部４１ｆと、カードユニット２０のホールコンピュータ通信部２１ａから出力される売上情報が入力される売上信号入力部４１ｇを設ける。次に利益情報集計手段４２ａにおいて、打込玉信号の受信数に信号比（ここでは打込玉が１０個計数される毎に１パルスの打込玉信号が入力されるので信号比は「１０」）を乗算して打込玉数を集計すると共に、売上信号入力部４１ｇに入力された売上信号の受信数に信号比（ここでは１００円に相当する１度数のプリペイド度数が使用される毎に１パルスの売上信号が入力されるので信号比は「１００」）を乗算した売上金額を貸出単価（例えば４円）で除算して貸出玉数を集計し、打込玉数＋貸出玉数の式で利益情報を集計する。次に不利益情報集計手段４２ｂにおいて、補給玉信号入力部４１ｆに入力された補給玉信号の受信数に信号比（ここでは補給玉が１０個計数される毎に１パルスの補給玉信号が入力されるので信号比は「１０」）を乗算して不利益情報である補給玉数を集計する。そして差数算出手段４２ｃにおいて、補給玉数−（打込玉数＋貸出玉数）の式で差数である差玉数を算出する。従って、この差数の算出方法によれば、遊技機（パチンコ機１０）に賞球外部出力である賞球信号出力部１４ａが設けられていない場合であっても、本発明を適用できる。なお図７に示すように、利益情報や不利益情報を一旦集計せずに、差数を直接算出するようにしても良い。
【０１１３】
上記の実施形態では、打込玉数が利益情報である例について説明したが、これに限らず、遊技機がスロットマシンである場合には、投入されたメダル数が利益情報となる。また上記の実施形態では、払出玉数が不利益情報である例について説明したが、これに限らず、遊技機が現金式のパチンコ機（いわゆる現金機）である場合には、補給玉数が不利益情報となり、また遊技機がスロットマシンである場合には、払い出されたメダル数が不利益情報となる。
【０１１４】
上記の実施形態では、差数算出手段４２ｃにおいて、不利益情報−利益情報の式で差数が算出される例について説明したが、これに限らず、逆に利益情報−不利益情報の式で差数が算出されるようにしても良い。この場合には、該算出された差数がプラスであれば遊技場側の利益（即ち遊技者側の不利益）であり、該差数がマイナスであれば遊技場側の不利益（即ち遊技者側の利益）である。
【０１１５】
上記の実施形態では、利益情報（打込玉数），不利益情報（払出玉数），及び差数（差玉数）が１０個単位で算出・集計される例について説明したが、これに限らず、これらは１個単位で算出・集計されるものでも良い。
【０１１６】
上記の実施形態では、会員カード５が返却されたときに、所定の終了条件が満たされたとして、遊技終了判定手段４２ｅにより遊技終了と判定される例について説明したが、これに限らず、例えば会員カード５の返却後に別の会員カード５が受け付けられたときに遊技終了と判定されるようにしても良く、またプリペイドカードの残度数に対して価値加算が可能な機能（いわゆる追加入金機能）を有するカードユニット２０である場合には、会員カード５の返却後に該プリペイドカードの残度数に対して価値加算が行われたときに遊技終了と判定されるようにしても良い。
【０１１７】
上記の実施形態では、図６のＤ６及びＤ６’に示すように、差数の傾向が右上がりの矢印又は右下がりの矢印で表示される例について説明したが、これに限らず、該差数の傾向は、例えば文字，記号，色分け等により表示されるものでも良い。即ち差数の傾向は、遊技者が上昇傾向であるか下降傾向であるかを識別可能な態様で表示されれば良い。
【０１１８】
上記の実施形態では、図６のＤ７に示すように、比較対象遊技者指定手段（ディスプレイ２３又は３３）において、遊技者特定情報（会員ＩＤ）を入力することにより、該遊技者特定情報から特定される遊技者が、収支関連情報（差数）の比較の対象となる他の遊技者として指定される例について説明したが、これに限らず、該遊技者特定情報でなく氏名を入力することにより、該氏名から特定される遊技者が、前記他の遊技者が指定されるようにしても良い。
【０１１９】
【発明の効果】
本発明に係る遊技用表示システムによれば、以下のような効果を奏する。
【０１２０】
まず請求項１に係る遊技用表示システムによれば、収支関連情報の比較において基準となる所定期間幅の比較基準期間の収支関連情報が、該比較基準期間の直前における該比較基準期間と同一期間幅の比較対象期間の収支関連情報と比較され、該比較結果に基づいて、前記比較基準期間の収支関連情報の傾向が遊技者に対して表示されるので、遊技者は過去の遊技における自己の好不調の変化を一見して把握することができ、該収支関連情報の傾向を指標として遊技形態を選択することにより節度ある遊技を行うことができる。
【０１２１】
また請求項２に係る遊技用表示システムによれば、遊技機に対応する読取手段により遊技者特定情報が読み取られて遊技が開始されたと判定されてから、所定の終了条件が満たされて遊技が終了したと判定されるまでの間において発生した収支関連情報が、前記読取手段により読み取られた遊技者特定情報に対応付けて記憶されるので、該遊技者に関する収支関連情報を正確に記憶できる。
【０１２２】
また請求項３に係る遊技用表示システムによれば、収支関連情報として差数が記憶されて表示されるので、遊技者は過去の遊技における自己の好不調の変化を把握する上で重要な差数の傾向を参考にして遊技形態を選択することができる。
【０１２３】
また請求項４に係る遊技用表示システムによれば、集計された利益情報と不利益情報に基づいて差数が算出されるので、該差数の算出にかかる処理負荷が軽減される。
【０１２４】
また請求項５に係る遊技用表示システムによれば、遊技者又は遊技場側が任意に比較基準期間の期間幅を設定変更できるので、それぞれの希望に沿った期間幅を設定できる。
【０１２５】
また請求項６に係る遊技用表示システムによれば、比較実施期間に属する比較基準期間と同一期間幅の各期間の収支関連情報の傾向が表示されるので、遊技者は収支関連情報の傾向の推移を一見して把握することができ、該比較実施期間内の遊技における自己の好不調の変化を一見して把握することができる。
【０１２６】
また請求項７に係る遊技用表示システムによれば、比較基準期間の収支関連情報が該比較基準期間の収支関連情報の傾向と対応付けて表示されるので、遊技者は収支関連情報の傾向のみならず収支関連情報自体も確認でき、自己の好不調をより具体的に把握できる。
【０１２７】
また請求項８に係る遊技用表示システムによれば、遊技者本人に関する比較基準期間の収支関連情報が他の遊技者に関する比較基準期間の収支関連情報と比較されて該比較結果が表示されるので、遊技者の競争心を刺激して遊技意欲の向上が図られる。
【０１２８】
さらに請求項９に係る遊技用表示システムによれば、収支関連情報が所定の抽出条件を満たしている機種が抽出されて該抽出結果が表示されるので、遊技者が遊技形態を選択する際のさらなる判断材料を提供できる。
【図面の簡単な説明】
【図１】図１は遊技用表示システムの一例を表す機能ブロック図である。
【図２】図２はパチンコ機及びカードユニットの一例を表す図であり、（ａ）は正面図，（ｂ）は機能ブロック図である。
【図３】図３は遊技情報表示端末の一例を表す斜視図である。
【図４】図４はカードユニット，遊技情報表示端末，及びホールコンピュータの一例を表す機能ブロック図である。
【図５】図５はカードユニット又は遊技情報表示端末のディスプレイに表示される画面の一例を表す図である。
【図６】図６は図５に続く図である。
【図７】図７は遊技用表示システムの変形例を表す機能ブロック図である。
【図８】図８は差数の算出方法の変形例を表す機能ブロック図である。
【符号の説明】
１…遊技用表示システム
２…遊技島
３…台端末
４…中継コンピュータ
５…会員カード
１０…パチンコ機
１０ａ…遊技領域
１１…遊技制御基板
１２…玉払出制御基板
１２ａ…残度数表示器
１２ｂ…玉貸ボタン
１２ｃ…プリペイドカード返却ボタン
１３…玉払出装置
１４…情報出力基板
１４ａ…賞球信号出力部
１４ｂ…特賞信号出力部
１５…打込玉カウンタ
１５ａ…打込玉信号出力部
１６…補給玉カウンタ
１６ａ…補給玉信号出力部
２０…カードユニット
２１ａ…ホールコンピュータ通信部
２１ｂ…玉貸通信部
２２…制御部
２３…（タッチパネル式の）ディスプレイ
２４…会員カードＲ／Ｗ
２４ａ…会員カード挿入・排出口
２４ｂ…会員カード返却ボタン
２５…プリペイドカードＲ／Ｗ
２５ａ…プリペイドカード挿入・排出口
３０…遊技情報表示端末
３１…通信部
３２…制御部
３３…（タッチパネル式の）ディスプレイ
３４…会員カードＲ／Ｗ
３４ａ…会員カード挿入・排出口
３４ｂ…会員カード返却ボタン
４０…ホールコンピュータ
４１…通信部
４１ａ…打込玉信号入力部
４１ｂ…賞球信号入力部
４１ｃ…会員ＩＤ入力部
４１ｄ…設定条件入力部
４１ｅ…情報出力部
４１ｆ…補給玉信号入力部
４１ｇ…売上信号入力部
４２…制御部
４２ａ…利益情報集計手段
４２ｂ…不利益情報集計手段
４２ｃ…差数算出手段
４２ｄ…遊技開始判定手段
４２ｅ…遊技終了判定手段
４２ｆ…比較手段
４２ｇ…抽出手段
４３…ハードディスク
【図１】
2004167119.tif 000003
【図２】
2004167119.tif 000004
【図３】
2004167119.tif 000005
【図４】
2004167119.tif 000006
【図５】
2004167119.tif 000007
【図６】
2004167119.tif 000008
【図７】
2004167119.tif 000009
【図８】
2004167119.tif 000010